【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
哺乳動物の少なくとも１つの心血管の量を判定するための方法であって、
振動電流および振動電圧から選択された複数の電気発振信号を少なくとも１組の電極に適用すること、ここにおいて、前記複数の電気発振信号は、少なくとも２つの異なる励起周波数を備え、前記少なくとも１組の電極間の電界の向きの線が測定部位にある血管に侵入する、と、
励起周波数ごとに前記少なくとも１組の電極間のインピーダンスを判定することと
を行うことによって、前記測定部位にある前記血管の平均直径を判定または推定することと、
前記測定部位にある前記血管の弾性に関連した量を判定することと、
前記測定部位にある前記血管の膨満感を判定することと、
前記測定部位にある前記血管の前記判定された平均直径、前記弾性に関連した量、および前記膨満感から前記少なくとも１つの心血管の量を計算することと
を備える方法。
【請求項２】
前記血管が、上腕動脈、橈骨動脈、尺骨動脈、大腿動脈、指動脈、および頸動脈から選択された動脈である、請求項１に記載の方法。
【請求項３】
前記方法は、前記測定部位までの選択された距離内で少なくとも２つの電極を備える前記少なくとも１組の電極を適用することを備える、請求項１に記載の方法。
【請求項４】
前記少なくとも１組の電極のうちの前記電極の各々が、前記哺乳動物の皮膚表面に付着する、請求項３に記載の方法。
【請求項５】
時間の関数として前記少なくとも１組の電極の少なくとも１つのインピーダンスパラメータを判定することをさらに備える、請求項４に記載の方法。
【請求項６】
前記方法は、前記少なくとも１組の電極にわたって測定することによって少なくとも１つのインピーダンスパラメータを判定することをさらに備え、ここで、励起電極の組および検出電極の組は、同じ組を構成する、請求項３に記載の方法。
【請求項７】
前記方法は、前記測定部位までの選択された距離内で少なくとも２組の電極、第１および第２の電極の組、を適用することと、少なくとも１つの励起周波数の振動電流および振動電圧から選択された電気信号を前記第１組の電極に適用することと、前記第２組の電極にわたって測定することによって少なくとも１つのインピーダンスパラメータを判定すること、ここで、励起電極の組および検出電極の組は、それぞれ前記第１の組および第２の組を構成する、とを備える、請求項１に記載の方法。
【請求項８】
前記平均直径の前記判定は、多周波励起を使用して前記平均直径を判定することを備える、請求項１に記載の方法。
【請求項９】
前記測定部位にある前記血管の前記平均直径の前記判定は、前記少なくとも１組の電極の前記力線によって侵入される前記測定部位および隣接する領域の断面解剖学的形態の構造の事前の推定を提供することと、前記少なくとも１組の電極間の前記インピーダンスに対する等価回路によるこの事前の推定に基づいて１組の数式を設定すること、ここで、前記数式が、少なくとも、皮膚を通り抜ける力線のうち１つの長さ部分、脂肪層を通り抜ける力線のうち１つの長さ部分、筋肉を通り抜ける力線のうち１つの長さ部分、および前記血管を通り抜ける力線のうち１つの長さ部分に電界の向きの線を分ける、と、前記少なくとも２つの異なる励起周波数での前記少なくとも１組の電極間の前記判定されたインピーダンスおよび前記１組の数式に基づいて前記血管を通り抜ける実際の力線の長さ部分を判定することとを備える、請求項１に記載の方法。
【請求項１０】
４つの電極が当てられ、皮膚に当てられる場合に動脈の方向にも前記動脈に対して垂直にも移動させられる方法で構成された少なくとも２つの電極を備える少なくとも第１組の電極に励起電流が適用され、前記皮膚に当てられる場合に同じく前記動脈の前記方向にも前記動脈に対して垂直にも移動させられる方法で構成され、かつ、前記第１および第２組の電極の前記対角線が交差する方法で構成された少なくとも２つの電極を備える少なくとも第２組の電極の上で電圧が測定される、請求項１に記載の方法。
【請求項１１】
前記測定部位にある前記血管の前記弾性に関連した量の前記判定は、前記測定部位にある前記血管における脈波伝播速度を判定することを備え、ここにおいて、前記測定部位にある前記血管における前記脈波伝播速度の前記判定は、前記測定部位の少なくとも一部を備える前記血管の長さ区分Ｌに沿って、選択された間隔で、少なくとも２つのセンサを置くことと、各センサによって時間の関数として前記パルスを判定し、その結果、前記脈波伝播速度を判定することとを備える、請求項１に記載の方法。
【請求項１２】
前記少なくとも２つのセンサが提供され、第１のセンサは第１組の電極を備え、第２のセンサは第２組の電極を備え、前記それぞれの組の電極は、前記それぞれの組の電極間の電界の向きの線がそれぞれ第１の脈波感知部位および第２の脈波感知部位において前記血管に侵入するように、電気回路において電気的に接続される、請求項１１に記載の方法。
【請求項１３】
少なくとも３つの電極の組が提供され、第１の電極の組は検出電極であり、第２の電極の組は検出電極であり、第３の電極の組は励起電極であり、前記第３の電極の組は、前記第３組の電極から励起される少なくとも前記電界の向きの線が前記測定部位において前記血管に侵入するように置かれる、請求項１に記載の方法。
【請求項１４】
前記第３組の電極は、前記第１および第２の電極の組間に置かれる、請求項１３に記載の方法。
【請求項１５】
時間の関数として電極の２つのそれぞれの組の前記インピーダンスを判定することと、１つのインピーダンス信号のもう１つのインピーダンス信号に対する時間的変位を判定することとをさらに備える、請求項１に記載の方法。
【請求項１６】
前記判定された心血管の量は、収縮期圧と拡張期圧との前記差である示差血圧であり、示差血圧は、以下の方程式
【数１】
2016187618.tif 000001
を適用することによって前記測定部位にある前記血管における脈波伝播の前記速度ｖから判定され、ここで、ΔＰは前記示差血圧であり、ΔＡは前記血管の前記膨満感であり、ｐは前記血液密度であり、Ａは平均血管断面積によって表される、請求項１に記載の方法。
【請求項１７】
前記測定部位にある前記血管の前記膨満感の前記判定は、前記少なくとも１組の電極間の電界の向きの線が前記測定部位にある前記血管に侵入するように前記少なくとも１組の電極を備え、前記少なくとも１組の電極のインピーダンスの時間的変動を判定する電気回路を備える、請求項１に記載の方法。
【請求項１８】
前記方法は、前記測定部位までの選択された距離内で前記少なくとも１組の電極を適用することと、電気発振信号を前記少なくとも１組の電極に適用することと、平均インピーダンス、最小インピーダンス、最大インピーダンス、インピーダンスの時間的変動、時間の関数としてのインピーダンス、または前記少なくとも１組の電極にわたるそれらの任意の組み合わせから選択される少なくとも１つのインピーダンスパラメータを判定することとを備える、請求項１に記載の方法。
【請求項１９】
前記方法は、前記哺乳動物のパルス間の時間間隔を判定または推定することと、ブリッジを使用して前記平均インピーダンスを判定することと、前記ブリッジの少なくとも２つの抵抗要素を調整することによって、少なくとも前記パルス間の時間間隔程度のループ応答時間を有するフィードバックループを介して前記ブリッジを自動的に平衡化することとを備える、請求項１８に記載の方法。
【請求項２０】
前記方法は、前記哺乳動物のパルス間の時間間隔を判定または推定することと、ブリッジを使用して前記インピーダンスの時間的変動を判定することと、少なくとも前記パルス間の時間間隔程度の応答時間を有するフィードバックループを介して前記ブリッジを自動的に平衡化することとを備え、前記方法は、前記ブリッジの前記不均衡の時間的変動を判定することを備える、請求項１８に記載の方法。
【請求項２１】
前記血管の平均直径の前記判定、
前記弾性に関連した量の前記判定、
膨満感の前記判定、および
それらのうち２つの前記判定、またはそれらのうち３つ全ての前記判定が、平均インピーダンス、最小インピーダンス、最大インピーダンス、インピーダンスの時間的変動、時間の関数としてのインピーダンス、または前記少なくとも１組の電極にわたるそれらの任意の組み合わせから選択される少なくとも１つのインピーダンスパラメータの判定に基づく、請求項１に記載の方法。
【請求項２２】
前記測定部位にある前記血管の前記判定された平均直径、前記弾性に関連した量、および前記膨満感からの前記少なくとも１つの心血管の量の前記計算は、示差血圧を計算すること、収縮期血圧を計算することと、拡張期圧を計算すること、または血管コンプライアンスを計算することを備える、請求項１に記載の方法。
【請求項２３】
前記方法は、血管壁の前記厚さ、前記血管の最大直径、前記血管の最小直径、前記血管直径の時間的変動、または時間の関数としての血管直径から選択される、前記測定部位にある前記血管の少なくとも１つのさらなる寸法を判定することをさらに備える、請求項１に記載の方法。
【請求項２４】
前記方法は、パルス繰返し数を判定することを備える、請求項１に記載の方法。
【請求項２５】
前記方法は、非侵襲性である、請求項１に記載の方法。
【請求項２６】
前記血管への圧力の適用を含まない、請求項１に記載の方法。
【請求項２７】
選択されるパルス振幅、脈圧、またはパルス繰返し数のうちのいずれか１つが、較正目的で逆圧を適用することによって判定される、請求項１に記載の方法。
【請求項２８】
哺乳動物の少なくとも１つの心血管の量を判定するための方法であって、前記方法は、
測定部位にある血管の平均直径を判定または推定することと、
前記測定部位までの選択された距離内で少なくとも２つの電極を備える少なくとも１組の電極を適用することと、
前記電極からの電界の向きの線が前記測定部位にある前記血管に侵入するように電気発振信号を前記電極に適用すること、
時間の関数として検出の組の電極の少なくとも１つのインピーダンスパラメータを判定することと
前記測定部位にある前記血管の弾性に関連した量を判定することと、
前記測定部位にある前記血管の膨満感を判定することと、
前記測定部位にある前記血管の前記判定された平均直径、前記弾性に関連した量、および前記膨満感から前記少なくとも１つの心血管の量を計算し、ここにおいて、前記少なくとも１つのインピーダンスパラメータの前記判定は、前記検出電極からの前記信号を感知および増幅するための電圧フォロワおよび計装用増幅器のうちの少なくとも１つならびにクォドラチャ検出によって前記信号を復調するための少なくとも１つのミキサによる信号処理を使用して行われる、共通モード信号および前記クォドラチャ信号を含む前記復調された信号を既知の値ぶん増幅することと
を備える方法。
【請求項２９】
哺乳動物の血管における少なくとも１つの心血管の量を判定するための心血管の量のシステムであって、前記心血管の量のシステム
複数の組の電極、ここで、各組の電極は、電気信号が前記血管の測定部位の前記電極にわたって与えられる場合に前記哺乳動物の皮膚表面を通るおよび前記複数の組の電極の前記電極間の容量結合が提供されるように、前記皮膚表面に付着されることができる少なくとも２つの電極を備える、と、
前記複数の組の電極にわたって電気発振信号を備える前記電気信号を適用する電気デバイスと、
前記複数の組の電極から電気応答信号を受信するように配置された少なくとも１つのプロセッサおよびメモリユニットと
を備え、前記少なくとも１つのプロセッサは、前記複数の組の電極に結合され、
振動電流および振動電圧から選択された複数の電気発振信号を少なくとも１組の電極に適用すること、ここにおいて、前記複数の電気発振信号は、少なくとも２つの異なる励起周波数を備え、前記少なくとも１組の電極間の電界の向きの線は、前記測定部位にある前記血管に侵略する、と、
励起周波数ごとに前記少なくとも１組の電極間のインピーダンスを判定することと
を行うことによって、前記測定部位にある前記血管の平均直径を判定または推定することと、
前記測定部位にある前記血管の弾性に関連した量を判定することと、
前記測定部位にある前記血管の膨満感を判定することと、
前記測定部位にある前記血管の前記判定された平均直径、前記弾性に関連した量、および前記膨満感から前記少なくとも１つの心血管の量を計算することと
によって、前記少なくとも１つの心血管の量を計算するようにソフトウェア命令で構成される、
システム。